Podtech/llm-jp-corpus-v4-ja_patent huggingface dataset:
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
電子ズーム倍率を設定する設定手段と、
出力する画像の単位画素について、撮像素子から読み出しを行う画素数が異なる複数の読み出しモードを備える撮像手段と、
前記撮像手段により出力された画像から、表示手段に表示する所定数の画素数の表示画像を生成する生成手段と、
前記設定手段により設定された電子ズーム倍率に応じて、前記撮像手段における読み出しモードと読み出しを行う撮像素子上の領域とを、予め定められた関係において変更して前記撮像手段に読み出しを行わせる変更手段であって、前記表示画像とは別に当該表示画像の所定領域をより解像度の高い高解像度画像で前記表示手段に表示する指示がなされた場合に、設定されている電子ズーム倍率に関係付けられている読み出しモードよりも、単位画素に対して読み出し画素数が少ない読み出しモードで前記撮像手段に読み出しを行わせる変更手段と、
を有することを特徴とする撮像装置。
【請求項２】
前記変更手段は、前記設定手段により、読み出しモードを切り替える予め定められた第１の電子ズーム倍率に、該第１の電子ズーム倍率より低い第２の電子ズーム倍率から連続的に倍率を増加させる設定がなされた場合に、前記第１の電子ズーム倍率よりも低く、前記第２の電子ズーム倍率よりも高い第３の電子ズーム倍率が設定された際に、設定されている読み出しモードよりも、単位画素に対して読み出し画素数が少ない読み出しモードに変更することを特徴とする請求項１に記載の撮像装置。
【請求項３】
前記変更手段は、
前記設定手段により、読み出しモードを切り替える予め定められた第１の電子ズーム倍率を跨いで連続的に倍率を増加させる設定がなされた場合に、前記第１の電子ズーム倍率よりも高い第２の電子ズーム倍率が設定された際に、設定されている読み出しモードよりも、単位画素に対して読み出し画素数が少ない読み出しモードに変更し、
前記設定手段により、前記第１の電子ズーム倍率を跨いで連続的に倍率を減少させる設定がなされた場合に、前記第１の電子ズーム倍率よりも低い第３の電子ズーム倍率が設定された際に、設定されている読み出しモードよりも、単位画素に対して読み出し画素数が多い読み出しモードに変更する
ことを特徴とする請求項１に記載の撮像装置。
【請求項４】
動画撮影について設定されているフレームレートを取得する取得手段をさらに有し、
前記変更手段は、前記撮像手段により出力される画像が、前記取得手段により取得されたフレームレートで読み出し可能な画素数に収まる、前記予め定められた関係とは異なる関係を用いて読み出しモードの変更を行うことを特徴とする請求項１乃至３のいずれか１項に記載の撮像装置。
【請求項５】
出力する画像の単位画素について、撮像素子から読み出しを行う画素数が異なる複数の読み出しモードを備える撮像手段を有する撮像装置の制御方法であって、
前記撮像装置の設定手段が、電子ズーム倍率を設定する設定工程と、
前記撮像装置の生成手段が、前記撮像手段により出力された画像から、表示手段に表示する所定数の画素数の表示画像を生成する生成工程と、
前記撮像装置の変更手段が、前記設定工程において設定された電子ズーム倍率に応じて、前記撮像手段における読み出しモードと読み出しを行う撮像素子上の領域とを、予め定められた関係において変更して前記撮像手段に読み出しを行わせる変更工程であって、前記表示画像とは別に、当該表示画像の所定領域をより解像度の高い高解像度画像で前記表示手段に表示する指示がなされた場合に、設定されている電子ズーム倍率に対応付けられている読み出しモードよりも、単位画素に対して読み出し画素数が少ない読み出しモードで前記撮像手段に読み出しを行わせる変更工程と、
を有することを特徴とする撮像装置の制御方法。
【請求項６】
コンピュータを、請求項１乃至４のいずれか一項に記載の撮像装置の撮像手段を除く各手段として機能させるためのプログラム。
【手続補正２】
【補正対象書類名】明細書
【補正対象項目名】０００９
【補正方法】変更
【補正の内容】
【０００９】
上記目的は、電子ズーム倍率を設定する設定手段と、出力する画像の単位画素について、撮像素子から読み出しを行う画素数が異なる複数の読み出しモードを備える撮像手段と、前記撮像手段により出力された画像から、表示手段に表示する所定数の画素数の表示画像を生成する生成手段と、前記設定手段により設定された電子ズーム倍率に応じて、前記撮像手段における読み出しモードと読み出しを行う撮像素子上の領域とを、予め定められた関係において変更して前記撮像手段に読み出しを行わせる変更手段であって、前記表示画像とは別に当該表示画像の所定領域をより解像度の高い高解像度画像で前記表示手段に表示する指示がなされた場合に、設定されている電子ズーム倍率に関係付けられている読み出しモードよりも、単位画素に対して読み出し画素数が少ない読み出しモードで前記撮像手段に読み出しを行わせる変更手段と、を有することを特徴とする本発明による撮像装置によって達成される。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、上記目的は、出力する画像の単位画素について、撮像素子から読み出しを行う画素数が異なる複数の読み出しモードを備える撮像手段を有する撮像装置の制御方法であって、前記撮像装置の設定手段が、電子ズーム倍率を設定する設定工程と、前記撮像装置の生成手段が、前記撮像工程において出力された画像から、表示手段に表示する所定数の画素数の表示画像を生成する生成工程と、前記撮像装置の変更手段が、前記設定工程において設定された電子ズーム倍率に応じて、前記撮像手段における読み出しモードと読み出しを行う撮像素子上の領域とを、予め定められた関係において変更して前記撮像手段に読み出しを行わせる変更工程であって、前記表示画像とは別に、当該表示画像の所定領域をより解像度の高い高解像度画像で前記表示手段に表示する指示がなされた場合に、設定されている電子ズーム倍率に対応付けられている読み出しモードよりも、単位画素に対して読み出し画素数が少ない読み出しモードで前記撮像手段に読み出しを行わせる変更工程と、を有することを特徴とする本発明による撮像装置の制御方法によっても達成される。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
防水のための密閉構造の筐体と、前記筐体の背面に搭載されている撮影装置とを有し、屋外、または屋外に準ずる環境に設置されるカメラ旋回装置の熱冷却構造であって、
前記筐体は、
前記筐体の上部側且つ前記筐体の中央側に配設され、前記撮影装置をチルト方向に回動させるチルトモータと、
前記筐体の前面側且つ前記筐体の左側に配設され、前記撮影装置のための撮影用電源と、
前記筐体の前面側且つ前記撮影用電源の上方に配設され、前記撮影用電源に向かって送風する第１のファンと、
前記筐体の背面側且つ前記筐体の右側に配設され、前記撮影装置をパン方向に回動させるパンモータと、
前記筐体の背面側且つ前記パンモータに対向して前記パンモータの上方に配設され、前記パンモータに向かって送風する第２のファンと、
前記筐体の背面側且つ前記筐体の左側に配設され、前記第１のファンと前記第２のファンと前記チルトモータと前記パンモータのための筐体用電源と、
を具備し、
前記撮影用電源を前記第１のファンによって直接送風して冷却し、前記パンモータと前記筐体用電源を前記第２のファンによって直接送風して冷却すると共に、前記第１のファンと前記第２のファンによって前記筐体の前面側と背面側とにおいて逆向きの対流を形成し、前記筐体に蓄積された熱を攪拌することを特徴とするカメラ旋回装置の熱冷却構造。
【請求項２】
防水のための密閉構造の筐体と、前記筐体と一体で、前記筐体を固定するための雲台と、前記筐体の背面に搭載されている撮影装置とを有し、屋外、または屋外に準ずる環境に設置されるカメラ旋回装置の熱冷却構造であって、
前記筐体は、
前記筐体の上部側且つ前記筐体の幅方向における前記筐体の中央側に配設され、前記撮影装置をチルト方向に回動させるチルトモータと、
前記筐体の前面側且つ前記筐体の幅方向における前記筐体の左側に配設され、前記撮影装置のための撮影用電源と、
前記筐体の前面側且つ前記筐体の高さ方向において前記撮影用電源に対向して前記撮影用電源の上方に配設され、前記撮影用電源に向かって送風する第１のファンと、
前記筐体の背面側且つ前記筐体の幅方向における前記筐体の右側に配設され、前記撮影装置をパン方向に回動させるパンモータと、
前記筐体の背面側且つ前記筐体の高さ方向において前記パンモータに対向して前記パンモータの上方に配設され、前記パンモータに向かって送風する第２のファンと、
前記筐体の背面側且つ前記筐体の幅方向における前記筐体の左側に配設され、前記第１のファンと前記第２のファンと前記チルトモータと前記パンモータとのための筐体用電源と、
を具備し、
前記第２のファンは、前記筐体の背面側において、前記第２のファンから送られる風が前記パンモータから前記筐体の下部を介して前記筐体用電源に向かって前記筐体の上方へと時計回りに流れるように、前記パンモータに向かって前記筐体の下方に向けて送風し、
前記第１のファンは、前記筐体の前面側において、前記第１のファンから送られる風が前記撮影用電源から前記筐体の下部を介して前記筐体の上方へと反時計回りに流れるように、前記撮影用電源に向かって前記筐体の下方に向けて送風し、
前記チルトモータは、前記第１のファンによる送風と前記第２のファンによる送風とによって形成される逆向きの２つの対流が前記筐体内部における熱を攪拌することで、冷却されることを特徴とするカメラ旋回装置の熱冷却構造。
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
遊技領域に設けられる始動口と、
前記始動口への遊技球の入球に基づいて、大当たりについての当落にかかる判定処理を行う大当たり判定手段と、
前記大当たり判定手段による判定処理にて前記大当たりが当選されたことに基づいて、遊技者に特典が付与される特別遊技を行う特別遊技実行手段と、
複数の画像図柄が変動表示演出される所定の表示画面を有する演出画像表示装置と、
前記大当たり判定手段による判定処理が行われたとき、前記複数の画像図柄についての変動表示演出にかかる演出制御を行う演出制御手段と、を備え、
前記演出制御手段による変動表示演出にて前記複数の画像図柄がそれぞれ停止表示されたときの前記所定の表示画面にて特別な図柄組み合わせが現れたときには前記判定処理にて大当たりが当選されたことが遊技者に示唆される遊技機であって、
前記演出制御手段は、
前記複数の画像図柄のうちの一部のみが所定の停止態様にて表示されるリーチ状態を形成してから、複数の特定演出画像が順次表示されるリーチ演出を行うリーチ演出実行手段、
前記リーチ演出実行手段によるリーチ演出が行われるのに先立って、前記複数の画像図柄が１回だけ変動表示演出されるように前記演出制御を行う通常演出制御手段、及び
前記リーチ演出実行手段によるリーチ演出が行われるのに先立って、前記複数の画像図柄が複数回にわたって変動表示演出されるように前記演出制御を行う特別演出制御手段
を有しており、
前記特別演出制御手段は、
前記複数の画像図柄を複数回にわたって変動表示演出させる都度、前記リーチ演出実行手段によるリーチ演出の中途場面にて用いられる特定演出画像が前記所定の表示画面にて現れるように表示制御し得る演出画像差替手段、及び
前記演出画像差替手段による表示制御によって前記所定の表示画面に特定演出画像が現れている演出状況において前記リーチ状態が形成されたとき、前記リーチ演出実行手段によるリーチ演出を、当該特定演出画像に対応する中途場面から開始させる中途演出継続手段
を有することで、前記リーチ状態が形成される前のリーチ前変動区間にありながらも、当該リーチ前変動区間にて前記複数の画像図柄が複数回にわたって変動表示演出される間に前記リーチ演出が段階的に進行され得るようにした
ことを特徴とする遊技機。
【請求項２】
前記大当たり判定手段は、
前記始動口への遊技球の入球があったときに乱数を取得し、この取得した乱数に基づいて大当たりについての当落にかかる判定処理を行う
請求項１に記載の遊技機。
【請求項３】
前記所定の表示画面は、液晶表示面によって形成されてなる
請求項１または２に記載の遊技機。
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
遊技領域に設けられる始動口と、
前記始動口への遊技球の入球に基づいて、大当たりについての当落にかかる判定処理を行う大当たり判定手段と、
前記大当たり判定手段による判定処理にて前記大当たりが当選されたことに基づいて、遊技者に特典が付与される特別遊技を行う特別遊技実行手段と、
前記大当たり判定手段による判定処理の結果に応じて、所定の表示画面にて表示される複数の画像図柄についての変動表示演出にかかる制御を行う演出制御手段と、を備え、
前記演出制御手段による変動表示演出にて前記複数の画像図柄がそれぞれ停止表示されたときの前記所定の表示画面にて特別な図柄組み合わせが現れたときには前記判定処理にて大当たりが当選されたことが遊技者に示唆される遊技機であって、
前記演出制御手段は、
前記複数の画像図柄のうちの一部のみが所定の停止態様にて表示されるリーチ状態を形成してから、複数の特定演出画像が順次表示されることにより現れる動画像を用いてリーチ演出を行うにあたり、
前記リーチ状態が形成される前のリーチ前変動区間にありながら、前記リーチ演出の中途場面にて用いられる特定演出画像を前記所定の表示画面にて先出しするとともに、前記先出しされた特定演出画像が前記所定の表示画面にて現れているときに前記リーチ状態が形成されたときは、前記リーチ前変動区間にあるにもかかわらず先出しされた特定演出画像に対応する中途場面からその演出が継続されるかたちで前記リーチ演出を進行させる特別演出制御手段を有する
ことを特徴とする遊技機。
【請求項２】
前記大当たり判定手段は、
前記始動口への遊技球の入球があったときに乱数を取得し、この取得した乱数に基づいて大当たりについての当落にかかる判定処理を行う
請求項１に記載の遊技機。
【請求項３】
前記所定の表示画面は、液晶表示面によって形成されてなる
請求項１または２に記載の遊技機。
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
医用画像診断装置において、
パスワード入力手段と、
少なくとも年度によって、変更されるパスワードの情報を記憶する年度パスワード記憶手段と、
少なくとも年度を経時する経時手段と、
上記経時手段により経時された年度情報を記憶する年度情報記憶手段と、
上記パスワード入力手段によりパスワードが入力されると、この入力が所定の期間における初回の入力か否かを判断し、初回の入力の場合、上記経時手段により経時された年度情報を、上記年度情報記憶手段に記憶させるとともに、上記経時された年度情報に基づいて、その年度に対応するパスワードを上記年度パスワード記憶手段から読み出し、上記パスワード入力手段から入力されたパスワードと比較して、互いに一致する場合のみメンテ
ナンスプログラムを使用可能とし、上記パスワード入力手段によるパスワードの入力が、上記所定の期間における２回目以降の入力の場合、上記年度情報記憶手段に記憶された年度情報に基づいて、その年度に対応するパスワードを上記年度パスワード記憶手段から読み出し、上記パスワード入力手段から入力されたパスワードと比較して、互いに一致する場合のみメンテナンスプログラムを使用可能とする制御手段と、
を備えることを特徴とする医用画像診断装置。
【請求項２】
医用画像診断装置において、
所定の期間毎に変更される時変パスワード及び期間に関係なく不変の不変パスワードが入力されるパスワード入力手段と、
所定の期間によって変更される時変パスワードの情報を記憶する時変パスワード記憶手段と、
標準時間情報提供手段からの標準時間情報を入力する標準時間情報入力手段と
上記不変パスワードを記憶する不変パスワード記憶手段と、
上記パスワード入力手段から、時変パスワード及び不変パスワードが入力されると、上記標準時間情報入力手段に入力された標準時間に対応する、所定の期間の上記時変パスワードに記憶された時変パスワードを読み出し、上記パスワード入力手段より入力された時変パスワードと比較して、互いに一致し、かつ、上記パスワード入力手段から入力された不変パスワードと上記不変パスワード記憶手段に記憶された不変パスワードとを比較して
、互いに一致する場合には、メンテナンスプログラムを使用可能とし、上記所定の期間内に、上記メンテナンスプログラムの使用を可能とした不変パスワードが、上記パスワード入力手段から入力された場合、上記時変パスワードの一致不一致を判断すること無く、上記メンテナンスプログラムの使用を可能とする制御手段と、
を備えることを特徴とする医用画像診断装置。
【請求項３】
パスワード入力手段と、
所定期間毎のパスワードを記憶するパスワード記憶手段と、
時間の経過を含む経時情報を生成する経時手段と、
上記パスワード入力手段から入力されたパスワードと上記パスワード記憶手段に記憶されたパスワードとを比較して、互いに一致する場合のみメンテナンスプログラムを使用可能にする制御手段と、
を備え、
上記制御手段は、上記パスワード入力手段によりパスワードが入力されると、該パスワードの入力時の上記経時情報に対応するパスワードを上記パスワード記憶手段から読み出して、上記比較を行うことを特徴とする医用画像診断装置。
【請求項４】
請求項１乃至３のいずれか一項に記載の医用画像診断装置において、この医用画像診断装置は、磁気共鳴イメージング装置であることを特徴とする医用画像診断装置。
【手続補正２】
【補正対象書類名】明細書
【補正対象項目名】００１３
【補正方法】変更
【補正の内容】
【００１３】
本発明の医用画像診断装置は、パスワード入力手段と、所定期間毎のパスワードを記憶するパスワード記憶手段と、時間の経過を含む経時情報を生成する経時手段と、パスワード入力手段から入力されたパスワードと上記パスワード記憶手段に記憶されたパスワードとを比較して、互いに一致する場合のみメンテナンスプログラムを使用可能にする制御手段と、を備え、制御手段は、パスワード入力手段によりパスワードが入力されると、該パスワードの入力時の経時情報に対応するパスワードをパスワード記憶手段から読みして、比較を行うことを特徴とする。
【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
撮影部位とその撮影に関するパラメータを登録する登録手段と、
撮影オーダーを取得するオーダー受信手段と、
前記取得された撮影オーダーに含まれる実施すべき撮影を示す撮影情報を、前記登録手段に登録されている撮影部位に対応付ける対応付け手段と、
前記対応付け手段により撮影部位との対応付けができなかった不定の撮影情報を表示する表示手段とを備えることを特徴とするＸ線撮影装置。
【請求項２】
撮影部位とその撮影に関するパラメータを登録する登録手段と、
撮影オーダーを取得するオーダー受信手段と、
前記取得された撮影オーダーに含まれる実施すべき撮影を示す撮影情報を、前記登録手段に登録されている撮影部位に対応付ける対応付け手段と、
前記対応付け手段により撮影部位との対応付けができなかった不定の撮影情報を表示する表示手段と、
前記不定の撮影情報に対して前記登録手段に登録されている撮影部位を候補として表示し、その候補の中からユーザにより選択された撮影部位を前記不定の撮影情報と対応付ける選択手段とを備え、
前記対応付け手段と前記選択手段によって、前記撮影情報に対応付けられた撮影部位とその撮影に関するパラメータを用いて、Ｘ線撮影を実行することを特徴とするＸ線撮影装置。
【請求項３】
前記撮影オーダーに含まれる撮影情報は、撮影部位を識別するコードを含むことを特徴とする請求項２に記載のＸ線撮影装置。
【請求項４】
前記選択手段は、前記表示手段が表示した不定の撮影情報の選択を受け付けたとき、候補の撮影部位とその撮影条件を表示することを特徴とする請求項２に記載のＸ線撮影装置。
【請求項５】
前記表示手段は更に、前記不定の撮影情報と撮影部位との対応付けが完了したとき、撮影を指示する表示を行うことを特徴とする請求項２に記載のＸ線撮影装置。
【請求項６】
前記撮影オーダーは、患者情報と撮影情報を含み、情報システムよりネットワークを介して前記オーダー受信手段により受信されることを特徴とする請求項３に記載のＸ線撮影装置。
【請求項７】
前記登録手段は、電源オフ時にも記憶を維持する不揮発性の記憶媒体に、撮影部位とその撮影条件を、前記対応付け手段が参照できるように撮影情報と対応付けて登録しており、
前記選択手段は、前記不定の撮影情報と選択された撮影部位の対応を、電源オン時にのみ記憶を維持する一時的な記憶媒体に登録することを特徴とする請求項２に記載のＸ線撮影装置。
【請求項８】
前記一時的な記憶媒体に登録された撮影情報と撮影部位との対応を、前記不揮発性の記憶媒体に反映させる反映手段を更に備えることを特徴とする請求項７に記載のＸ線撮影装置。
【請求項９】
前記反映手段は、撮影を行ったユーザが有する権限の種類に応じて、前記一時的な記憶媒体に登録された撮影情報と撮影部位との対応を前記不揮発性の記憶媒体に反映させるか、前記一時的な記憶媒体に登録された撮影情報と撮影部位との対応を破棄するかを決定することを特徴とする請求項８に記載のＸ線撮影装置。
【請求項１０】
Ｘ線撮影装置の撮影方法であって、
登録手段が、撮影部位とその撮影条件を登録する登録工程と、
オーダー受信手段が、撮影オーダーを取得するオーダー受信工程と、
対応付け手段が、前記取得された撮影オーダーに含まれる実施すべき撮影を示す撮影情報を、前記登録工程で登録された撮影部位に対応付ける対応付け工程と、
表示手段が、前記対応付け工程により撮影部位との対応付けができなかった不定の撮影情報を表示する表示工程と、
選択手段が、前記不定の撮影情報に対して前記登録されている撮影部位とその撮影条件を候補として表示し、その候補の中からユーザにより選択された撮影部位とその撮影情報を前記不定の撮影情報と対応付ける選択工程とを備え、
前記対応付け工程と前記選択工程によって、前記撮影情報に対応付けられた撮影部位とその撮影条件を用いて、Ｘ線撮影を実行することを特徴とする撮影方法。
【請求項１１】
請求項１０に記載の撮影方法を、コンピュータにより実行させるためのコンピュータプログラム。
【請求項１２】
請求項１１に記載のコンピュータプログラムを格納したコンピュータ可読記録媒体。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
筒状部と、
一面から音声を出力する音声出力部と、を備え、
前記音声出力部は、その他面が前記筒状部の一端部の端に当接して前記筒状部に対して固定され、
前記筒状部の少なくとも一部及び前記音声出力部が外耳道内に収納可能とされているイヤホン。
【請求項２】
前記筒状部は、前記一端部に開口部を有することを特徴とする請求項１に記載のイヤホン。
【請求項３】
前記筒状部に設けられた薄肉部と、
前記筒状部よりも比重の大きい材料で形成され前記筒状部の内面に固定されたリングと、を有し、
前記リングは、前記薄肉部に対し、前記筒状部の軸方向において重なる位置に固定されていることを特徴とする請求項１または請求項２に記載のイヤホン。
【請求項４】
前記筒状部には前記音声出力部の他面と対向する底面が設けられており、
前記音声出力部の他面と前記底面とに挟まれた空間の中に吸音材が収容されていることを特徴とする請求項１から請求項３のいずれかに記載のイヤホン。
【請求項５】
前記音声出力部を収容するユニットホルダを備え、
前記薄肉部は前記筒状部の外面に設けられた環状の溝であり、
前記ユニットホルダの一部が前記溝に嵌入していることを特徴とする請求項１から請求項３のいずれかに記載のイヤホン。
【請求項６】
前記筒状部は樹脂であり、前記比重の大きい材料は金属であることを特徴とする請求項３に記載のイヤホン。
【請求項７】
前記ユニットホルダは金属であることを特徴とする請求項５に記載のイヤホン。
【手続補正２】
【補正対象書類名】明細書
【補正対象項目名】０００５
【補正方法】変更
【補正の内容】
【０００５】
上記課題を解決するために、筒状部（１１６ａ）と、一面から音声を出力する音声出力部（１３０）と、を備え、前記音声出力部（１３０）は、その他面（１３０ｂ）が前記筒状部（１１６ａ）の前記一端部の端面（１１６ａ１）に当接して前記筒状部（１１６ａ）に対して固定され、前記筒状部（１１６ａ）の少なくとも一部及び前記音声出力部（１３０）が外耳道内に収納可能とされているイヤホン（１１０）を提供する。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
外耳道に少なくとも一部が挿入される挿入部と、
外耳道の想定挿入位置まで前記挿入部の少なくとも一部が挿入されたときに外耳道に包含されると共に、供給された電気信号に応じた音声を出力する音声出力部と、を備え、
前記挿入部は、前記音声出力部の外面のうち音声が出力される音声出力面の裏面に接する空隙部を有することを特徴とするイヤホン。
【請求項２】
前記空隙部は、外耳道の想定挿入位置まで前記挿入部の少なくとも一部が挿入されたときに、少なくとも一部が外耳道に包含されるよう設けられることを特徴とする請求項１に記載のイヤホン。
【請求項３】
前記音声出力部は、外耳道の想定挿入位置まで前記挿入部の少なくとも一部が挿入されたときに、ボイスコイルに電気信号が供給されることにより駆動される振動板の振動音を外耳道内に出力するよう設けられ、鼓膜から前記振動板までの外耳道に沿った距離が、出力可能な最大音圧で前記音声出力部から出力された音声がユーザによって適切に知覚可能な適正音圧以上の音圧で鼓膜に伝わる距離になるよう、前記挿入部に取り付けられることを特徴とする請求項１または２に記載のイヤホン。
【請求項４】
前記音声出力部は、外耳道の想定挿入位置まで前記挿入部の少なくとも一部が挿入されたときに、外耳道の開口部から前記振動板までの距離が３ｍｍ以上になるよう、前記挿入部に取り付けられることを特徴とする請求項３に記載のイヤホン。
【請求項５】
外耳道の想定挿入位置まで前記挿入部の少なくとも一部が挿入されたときに、耳介の一部に当接して想定挿入位置より奧への前記挿入部の挿入を規制する挿入規制部をさらに備え、
前記挿入規制部は、前記挿入部の少なくとも一部が外耳道に挿入されるときの挿入方向と垂直な面に対して角度をもって延在することを特徴とする請求項１から４のいずれかに記載のイヤホン。
【請求項６】
前記挿入規制部は、自身の延在方向および前記挿入部が外耳道に挿入されるときの挿入方向の双方に直交する方向の幅が、前記挿入部の当該方向の幅と略同一に形成されることを特徴とする請求項５に記載のイヤホン。
【請求項７】
前記音声出力部を収容して前記挿入部に取り付けるユニットホルダをさらに備え、
前記ユニットホルダは、金属によって形成されることを特徴とする請求項１から６のいずれかに記載のイヤホン。
【請求項８】
前記挿入部は、筒状に形成された筒部を含み、
前記空隙部は、前記筒部の開口部を有する端部が前記音声出力部の前記裏面に当接することにより画定されることを特徴とする請求項１から７のいずれかに記載のイヤホン。
【請求項９】
前記音声出力部は、外耳道の想定挿入位置まで前記挿入部の少なくとも一部が挿入されたときに外耳道に全体が包含されることを特徴とする請求項１から８のいずれかに記載のイヤホン。
【手続補正２】
【補正対象書類名】明細書
【補正対象項目名】０００５
【補正方法】変更
【補正の内容】
【０００５】
上記課題を解決するために、本発明のある態様のイヤホンは、外耳道に少なくとも一部が挿入される挿入部と、外耳道の想定挿入位置まで挿入部の少なくとも一部が挿入されたときに外耳道に包含されると共に、供給された電気信号に応じた音声を出力する音声出力部と、を備える。挿入部は、音声出力部の外面のうち音声が出力される音声出力面の裏面に接する空隙部有するよう設けられ、空隙部は、外耳道の想定挿入位置まで挿入部の少なくとも一部が挿入されたときに、少なくとも一部が外耳道に包含されるよう形成される。
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
撮像手段と、
表示手段と、
前記撮像手段により撮像された撮像画像を前記表示手段に表示させる表示制御手段と、
前記撮像画像から、予め定めた輝度の条件を満たす画素からなる輝度領域を検出する第１検出手段と、
前記撮像画像から、予め定めた特徴を有する被写体領域を検出する第２検出手段とを有し、
前記表示制御手段は、
前記第１検出手段によって検出される輝度領域を表す補助画像を前記撮像画像に重畳して前記表示手段に表示させるとともに、前記輝度領域と前記第２検出手段によって検出される被写体領域とが重複している場合と、重複していない場合とで、前記補助画像の表示方法を異ならせることを特徴とする撮像装置。
【請求項２】
前記表示制御手段は、前記輝度領域を表す補助画像を表示させる際、前記輝度領域と前記被写体領域とが重複しない領域には前記補助画像を重畳して表示させ、前記輝度領域と前記被写体領域とが重複する領域には、前記被写体領域に重畳させず、前記被写体領域以外の領域に前記補助画像を重畳して表示させることを特徴とする請求項１に記載の撮像装置。
【請求項３】
前記表示制御手段は、前記被写体領域以外の領域に前記補助画像を重畳して表示させる場合、前記補助画像を複数の小領域に分割し、前記複数の小領域によって、前記被写体領域内において前記予め定めた輝度の条件を満たす画素が分布している部分と分布していない部分とを示す表示を行うことを特徴とする請求項２に記載の撮像装置。
【請求項４】
前記表示制御手段は、前記輝度領域と前記被写体領域とが重複している場合と、重複していない場合とで、前記補助画像の表示色及び網掛けの少なくとも一方を異ならせることを特徴とする請求項１に記載の撮像装置。
【請求項５】
前記表示制御手段は、前記輝度領域と前記被写体領域とが重複している場合には、前記補助画像を表示する領域を前記被写体領域と重複しない画面端に設定することを特徴とする請求項１に記載の撮像装置。
【請求項６】
前記表示制御手段は、前記輝度領域と前記被写体領域とが重複する複数の領域があるときには、当該複数の領域に係る複数の補助画像を並べて表示することを特徴とする請求項５に記載の撮像装置。
【請求項７】
前記第２検出手段は、前記被写体領域として人間の顔領域を検出することを特徴とする請求項１に記載の撮像装置。
【請求項８】
前記第２検出手段は、前記被写体領域として合焦領域を検出することを特徴とする請求項１に記載の撮像装置。
【請求項９】
前記表示制御手段は、前記輝度領域と前記被写体領域とが重複している場合には、前記被写体領域の周辺に配置される枠画像として前記補助画像を表示させることを特徴とする請求項１に記載の撮像装置。
【請求項１０】
撮像手段と、
表示手段と、
前記撮像手段により撮像された撮像画像を前記表示手段に表示させる表示制御手段と、
前記撮像画像から、予め定めた輝度の条件を満たす画素からなる輝度領域を検出する第１検出手段と、
前記撮像画像から、予め定めた特徴を有する被写体領域を検出する第２検出手段とを有し、
前記表示制御手段は、
前記第１検出手段によって検出される輝度領域を表すパターン表示を前記撮像画像に重畳して前記表示手段に表示させるとともに、前記輝度領域と前記第２検出手段によって検出される被写体領域とが重複している場合と、重複していない場合とで、前記パターン表示の表示方法を異ならせることを特徴とする撮像装置。
【請求項１１】
撮像手段と、
表示手段と、
前記撮像手段により撮像された撮像画像を前記表示手段に表示させる表示制御手段と、
前記撮像画像から、被写体の輪郭を検出する第１検出手段と、
前記撮像画像から、人物の顔を含む被写体領域を検出する第２検出手段とを有し、
前記表示制御手段は、
前記第１検出手段によって検出される被写体の輪郭を表すピーキング表示を前記撮像画像に重畳して前記表示手段に表示させるとともに、前記被写体の輪郭が前記第２検出手段によって検出される被写体領域に含まれる場合と、含まれない場合とで、前記ピーキング表示の表示方法を異ならせることを特徴とする撮像装置。
【請求項１２】
撮像手段、表示手段を備える撮像装置の制御方法であって、
前記撮像手段により撮像された撮像画像を前記表示手段に表示させる表示制御工程と、
前記撮像画像から、予め定めた輝度の条件を満たす画素からなる輝度領域を検出する第１検出工程と、
前記撮像画像から、予め定めた特徴を有する被写体領域を検出する第２検出工程とを有し、
前記表示制御工程は、
前記輝度領域を表す補助画像を前記撮像画像に重畳して前記表示手段に表示させるとともに、前記輝度領域と前記被写体領域とが重複している場合と、重複していない場合とで、前記補助画像の表示方法を異ならせることを特徴とする撮像装置の制御方法。
【請求項１３】
撮像手段、表示手段を備える撮像装置の制御方法であって、
前記撮像手段により撮像された撮像画像を前記表示手段に表示させる表示制御工程と、
前記撮像画像から、予め定めた輝度の条件を満たす画素からなる輝度領域を検出する第１検出工程と、
前記撮像画像から、予め定めた特徴を有する被写体領域を検出する第２検出工程とを有し、
前記表示制御工程は、
前記輝度領域を表すパターン表示を前記撮像画像に重畳して前記表示手段に表示させるとともに、前記輝度領域と前記被写体領域とが重複している場合と、重複していない場合とで、前記パターン表示の表示方法を異ならせることを特徴とする撮像装置の制御方法。
【請求項１４】
撮像手段、表示手段を備える撮像装置の制御方法であって、
前記撮像手段により撮像された撮像画像を前記表示手段に表示させる表示制御工程と、
前記撮像画像から、被写体の輪郭を検出する第１検出工程と、
前記撮像画像から、人物の顔を含む被写体領域を検出する第２検出工程とを有し、
前記表示制御工程は、
前記被写体の輪郭を表すピーキング表示を前記撮像画像に重畳して前記表示手段に表示させるとともに、前記被写体の輪郭が前記被写体領域に含まれる場合と、含まれない場合とで、前記ピーキング表示の表示方法を異ならせることを特徴とする撮像装置の制御方法。
【請求項１５】
請求項１２に記載の撮像装置の制御方法の各工程をコンピュータに実行させるためのプログラム。
【請求項１６】
請求項１３に記載の撮像装置の制御方法の各工程をコンピュータに実行させるためのプログラム。
【請求項１７】
請求項１４に記載の撮像装置の制御方法の各工程をコンピュータに実行させるためのプログラム。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
単一へテロ構造、二重ヘテロ構造、単一量子井戸及び多重量子井戸から成る群より選択されるＩＩＩ族窒化物活性領域；
該活性領域上のｐ型ＩＩＩ族窒化物コンタクト層；
該ｐ型コンタクト層上の半透明の金属コンタクト；及び
該金属コンタクト上の不定比の窒化珪素組成物からなるパッシベーション層
を含む縦型発光ダイオード。
【請求項２】
該窒化珪素組成物が、珪素欠乏である請求項１記載の発光ダイオード。
【請求項３】
該ｐ型ＩＩＩ族窒化物コンタクト層が窒化ガリウムを含む請求項２記載の発光ダイオード。
【請求項４】
該パッシベーション層が、約１０００Åの厚さを有する請求項３記載の発光ダイオード。
【請求項５】
該基板がｎ型であり、且つ該基板に対する該オーミックコンタクトがニッケルである請求項４記載の発光ダイオード。
【請求項６】
該金属コンタクト及び該パッシベーション層が、実質的に互いに非反応性であって且つ互いに充分に接着している請求項５記載の発光ダイオード。
【請求項７】
該金属コンタクトが、白金、パラジウム、金、チタンと金の組合せ、白金と金の組合せ、チタンと白金と金の組合せ、及び白金と酸化インジウム錫の組合せから成る群より選択される請求項６記載の発光ダイオード。
【請求項８】
該金属コンタクトが、白金を含む請求項７記載の発光ダイオード。
【請求項９】
請求項１記載の発光ダイオードを複数組み込んでいる表示装置。
【請求項１０】
可視スペクトルの青色部分で発光する請求項１記載の発光ダイオード；
赤色発光ダイオード；及び
緑色発光ダイオード
を含むピクセル。
【請求項１１】
プラスチックレンズと；
該活性領域が、ｐ型ＩＩＩ族窒化物コンタクト層を有するＩＩＩ族窒化物ヘテロ接合ダイオードを含む請求項１記載の発光ダイオードと
を含むＬＥＤランプ。
【請求項１２】
該ＩＩＩ族窒化物コンタクト層が、窒化ガリウムを含む請求項１１記載のＬＥＤランプ。
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
入力画像を一定の画素領域からなるブロック単位で予測符号化してバッファを介して出力する動画像符号化装置であって、
前記入力画像の符号化対象領域になる前の領域を有する複雑度予測領域に含まれる複数のブロックの各々の予測符号化により発生する符号量を表す複雑度を、前記入力画像の画素値を用いて算出する手段と、
前記算出されたブロック毎の複雑度と、前記複雑度予測領域に予め設定された許容符号量とをもとに、前記複数のブロックの各々に対する符号量を割り当てる手段と、
前記算出されたブロック毎の複雑度と前記割り当てられたブロック毎の符号量とに基づいて、前記符号化対象領域に適した符号化パラメータを決定する手段と、
前記割り当てられたブロック毎の符号量と、前記複数のブロックの各々の符号化により実際に発生した符号量との差に基づいて、前記決定された符号化パラメータから、次に符号化されるブロックに用いる符号化パラメータを再計算する手段と、
前記再計算された符号化パラメータを用いて前記符号化対象領域のブロックの各々を順次符号化する手段と、
前記符号化対象領域分の符号化をする毎に、前記符号化されたデータを前記バッファに蓄積した後の前記バッファの占有量をもとに次の予測対象領域に対する前記許容符号量を再設定する手段と
を具備することを特徴とする動画像符号化装置。
【請求項２】
入力画像を一定の画素領域からなるブロック単位で予測符号化してバッファを介して出力する画像符号化装置に用いられる動画像符号化方法であって、
前記入力画像のうち予測対象領域に含まれる複数のブロックの各々の予測符号化により発生する符号量を表す複雑度を前記入力画像の画素値を用いて算出し、
前記算出されたブロック毎の複雑度と、前記予測対象領域に予め設定された許容符号量とをもとに前記複数のブロックの各々に対する符号量を割り当て、
前記予測されたブロック毎の複雑度と前記割り当てられたブロック毎の符号量とに基づいて前記複数のブロックの各々に対応する符号化パラメータを決定し、
前記決定されたブロック毎の符号化パラメータを用いて前記複数のブロックの各々を符号化し、
前記符号化されたデータを前記バッファに蓄積した後の前記バッファの占有量をもとに
次の予測対象領域に対する前記許容符号量を再設定することを特徴とする動画像符号化方法。
【請求項３】
請求項１に記載の動画像符号化装置において、前記再計算する手段は、前記差の累積し、次に符号化されるブロックに割り当てられている符号量から当該差の累積を差し引かれた符号量に応じて、前記決定された符号化パラメータを調整することで、前記次に符号化されるブロックに用いる符号化パラメータを得ることを特徴とする動画像符号化装置。
【請求項４】
請求項３に記載の動画像符号化装置において、
前記入力画像は、動画像を構成する１フレームまたは１フィールドであり、
前記ブロックは、１６画素四方のマクロブロックであり、
前記符号化対象領域は、前記ブロックの画面左右方向の並びである１つのマクロブロック行であり、
前記複雑度予測領域は、前記符号化対象領域と前記符号化対象領域になる前の領域とからなる、複数のマクロブロック行であり、前記符号化対象領域分の符号化処理を行うたびに１マクロブロック行ずつスライドされるものであり、
前記割り当てる手段及び前記決定する手段は、前記複雑度予測領域がスライドして前記再設定する手段により許容符号量が再設定されると、前記割り当てられたブロック毎の符号量及び符号化対象領域に適した符号化パラメータを夫々再計算することを特徴とする動画像符号化装置。
【請求項５】
請求項３に記載の動画像符号化装置において、前記再設定する手段は、前記次に符号化されるブロックに割り当てられている符号量と前記差し引かれた符号量との比を求め、当該比を前記決定された符号化パラメータに乗じることで、前記次に符号化されるブロックに用いる符号化パラメータを得ることを特徴とする動画像符号化装置。
【請求項６】
請求項４に記載の動画像符号化装置において、前記割り当てる手段は、過去の入力画像は用いずに、現在の入力画像のみについての前記算出されたブロック毎の複雑度と前記許容符号量とをもとに前記割り当てをすることを特徴とする動画像符号化装置。
【請求項７】
請求項６に記載の動画像符号化装置において、前記割り当てる手段は、前記複数のブロックの各々について、割り当てる符号量が前記算出されたブロック毎の複雑度に比例するように前記割り当てをすることを特徴とする動画像符号化装置。
【請求項８】
請求項３に記載の動画像符号化装置において、前記決定する手段は、前記算出されたブロック毎の複雑度と前記割り当てられたブロック毎の符号量の夫々について前記符号化対象領域内の総和を求めて複雑度の総和及び符号量の総和とし、該複雑度の総和に基づいて適当な符号化パラメータにおける当該符号化対象領域からの発生符号量を予測し、該予測された発生符号量と前記符号量の総和との比を前記適当な符号化パラメータに乗じることで、前記符号化対象領域に適した符号化パラメータを得ることを特徴とする動画像符号化装置。
【手続補正２】
【補正対象書類名】明細書
【補正対象項目名】発明の名称
【補正方法】変更
【補正の内容】
【発明の名称】動画像符号化装置及び動画像符号化方法
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
或る特定のタイプの複数のマクロブロックをそれぞれが含む複数のスライスを含むビデオ・フレームの少なくとも一部分を含むビデオ・パケットを受け取るステップ、
少なくとも或る程度、ビデオ品質に対する該パケットの影響に関する前記パケットの相対的重要度、及び前の物理層伝送ビットレートにおける前記パケットの再送の回数に基づいて、現行の物理層伝送ビットレートを決定するステップ、及び
前記現行の物理層伝送ビットレートで前記パケットを送信するステップを含む方法。
【請求項２】
Ｉフレーム・データを含むパケット、Ｐフレーム・データを含むパケット、及びＢフレーム・データを含むパケットの前記相対的重要度は、それぞれ、高、中、低である請求項１に記載の方法。
【請求項３】
パケットの前記相対的重要度は、重要度の高い順に、
１つ又は複数のＩピクチャ・スライス又はＭＰＥＧヘッダを含むパケット、
αを超える割合のＩマクロブロックを含む１つ又は複数のＰピクチャ・スライスを含むパケット、
αを超える割合のＩマクロブロックを含む１つ又は複数のＢピクチャ・スライスを含むパケット、
βという割合未満のスキップ・マクロブロックを含む１つ又は複数のスライスを含むパケット、及び
βという割合を超えるスキップ・マクロブロックを含む１つ又は複数のスライスを含むパケットであり、ここで、０＜α、β＜１であり、
αに関する値、及びβに関する値は、αの様々な値、及びβの様々な値を使用して送信された、復号されたビデオを分析することによって得られる請求項１に記載の方法。
【請求項４】
前記決定することに先立って、複数の利用可能な物理層伝送ビットレートのそれぞれに関連するＰＥＲ（パケット誤り率）を、少なくとも或る程度、前記それぞれの物理層伝送ビットレートにおける送信されたパケットの数、及び受信された、関連する確認応答に基づいて推定するステップ、及び
前記複数の利用可能な物理層伝送ビットレートを、前記それぞれの物理層伝送ビットレートのそれぞれにおける伝送成功の確率に応じて、格付けするステップを更に含み、前記格付けすることは、少なくとも或る程度、前記推定することに基づく請求項１に記載の方法。
【請求項５】
前記推定することのために使用される前記送信されるパケットは、プローブ・パケットを含む請求項４に記載の方法。
【請求項６】
前記推定することのために使用される前記送信されるパケットは、圧縮されたビデオ・シーケンスのパケットを含む請求項４に記載の方法。
【請求項７】
前記推定することは、周期的に実行される請求項４に記載の方法。
【請求項８】
前記複数の利用可能な物理層伝送ビットレートの第１のビットレートの前記ＰＥＲは、前記複数の利用可能な物理層伝送ビットレートの第２のビットレートの前記ＰＥＲより高く、更に
前記第１のビットレートは、前記第２のビットレートより高い請求項４に記載の方法。
【請求項９】
前記複数の利用可能な物理層伝送ビットレートの第１のビットレートの前記ＰＥＲは、前記複数の利用可能な物理層伝送ビットレートの第２のビットレートの前記ＰＥＲより高く、更に
前記第１のビットレートは、前記第２のビットレートより低い請求項４に記載の方法。
【請求項１０】
メモリと、
或る特定のタイプの複数のマクロブロックをそれぞれが含む複数のスライスを含むビデオ・フレームの少なくとも一部分を含むビデオ・パケットを受け取り、
少なくとも或る程度、ビデオ品質に対する該パケットの影響に関する前記パケットの相対的重要度、及び前の物理層伝送ビットレートにおける前記パケットの再送の回数に基づいて、現行の物理層伝送ビットレートを決定し、更に
前記現行の物理層伝送ビットレートで前記パケットを送信するように構成されたプロセッサとを含み、
Ｉフレーム・データを含むパケット、Ｐフレーム・データを含むパケット、及びＢフレーム・データを含むパケットの前記相対的重要度は、それぞれ、高、中、低である装置。
【請求項１１】
パケットの前記相対的重要度は、重要度の高い順に、
１つ又は複数のＩピクチャ・スライス又はＭＰＥＧヘッダを含むパケット、
αを超える割合のＩマクロブロックを含む１つ又は複数のＰピクチャ・スライスを含むパケット、
αを超える割合のＩマクロブロックを含む１つ又は複数のＢピクチャ・スライスを含むパケット、
βという割合未満のスキップ・マクロブロックを含む１つ又は複数のスライスを含むパケット、及び
βという割合を超えるスキップ・マクロブロックを含む１つ又は複数のスライスを含むパケットであり、ここで、０＜α、β＜１であり、
前記プロセッサは、αに関する値、及びβに関する値を、αの様々な値、及びβの様々な値を使用して送信された、復号されたビデオを分析することによって得るように更に構成される請求項１０に記載の装置。
【請求項１２】
前記プロセッサは、
前記決定することに先立って、複数の利用可能な物理層伝送ビットレートのそれぞれに関連するＰＥＲ（パケット誤り率）を、少なくとも或る程度、前記それぞれの物理層伝送ビットレートにおける送信されたパケットの数、及び受信された、関連する確認応答に基づいて推定し、更に
前記複数の利用可能な物理層伝送ビットレートを、前記それぞれの物理層伝送ビットレートのそれぞれにおける伝送成功の確率に応じて、格付けするように更に構成され、前記格付けすることは、少なくとも或る程度、前記推定することに基づき、
前記推定することのために使用される前記送信されるパケットは、プローブ・パケット、あるいは、圧縮されたビデオ・シーケンスのパケットを含む請求項１０に記載の装置。
【請求項１３】
前記プロセッサは、前記ＰＥＲを周期的に推定するように更に構成される請求項１２に記載の装置。